(57)【要約】【課題】非接触操作を光学的に検出する操作可能な操作入力装置であって、受発光素子等の光学手段を配置する際の設計自由度を向上し、小型化を実現した操作入力装置を提供すること。【解決手段】非接触操作を入力可能な操作面１０を備えた操作スイッチパネル１は、非接触操作を検出するために操作面１０の表側に設けられた検出領域３００と、検出領域３００に光を投射するように操作面１０の裏側に配置された発光ユニット３１０と、検出領域３００から反射されて来る光を受光するように操作面１０の裏側に配置された受光ユニットと、発光ユニット３１０による光の投射に応じて受光ユニットに入射する反射光を利用して非接触操作を検出する操作検出部と、発光ユニット３１０の光を操作面１０の表側の検出領域３００に向けて反射すると共に、検出領域３００からの光を受光ユニットに向けて反射する反射板１４と、を備えている。【選択図】図３
2013004476.tif 000002
【特許請求の範囲】
【請求項１】
非接触操作を入力可能な操作面を備えた操作入力装置であって、
前記操作面の表側の空間に設けられ、指先等の人体を検知することで非接触操作を検出する検出領域と、
前記検出領域に光を投射するために前記操作面の裏側に配置された発光部と、
前記検出領域からの光を受光するために前記操作面の裏側に配置された受光部と、
前記発光部による光の投射に応じて前記受光部に入射する反射光を利用して非接触操作を検出する操作検出部と、
前記発光部が投射した光を前記操作面の表側の前記検出領域に向けて反射する第１の反射板と、
前記検出領域からの光を前記受光部に向けて反射する第２の反射板と、を備えた操作入力装置。
【請求項２】
請求項１において、前記操作面側には、前記検出領域に対応する操作目標を立体的に表示する立体表示手段が設けられている操作入力装置。
【請求項３】
請求項２において、前記立体表示手段は、左目に観察させる左像が所定方向に分割された分割左像と、右目に観察させる右像が所定方向に分割された分割右像と、が交互に配置された３Ｄ元画像に対して、前記分割左像を見込む左目の視線方向と、前記分割右像を見込む右目の視線方向と、を区分する視差シートが積層された立体表示シートを含み、
この立体表示シートには、前記第１の反射板により反射された前記発光部の光を前記操作面の表側に透過させると共に、前記検出領域からの光を前記操作面の裏側に透過させる透過窓が設けられている操作入力装置。
【請求項４】
請求項１〜３のいずれか１項において、前記発光部が投射した光のうち、前記操作面の表側を経由せずに前記受光部に直接、入射する光を遮断する遮光板を備えた操作入力装置。
【発明の詳細な説明】
【技術分野】
【０００１】
本発明は、非接触操作を光学的に検出する操作入力装置に関する。
【背景技術】
【０００２】
従来より、対象機器を動作させるための各種操作を入力する操作入力装置として、浮かび上がって立体的に目視される虚像を操作目標として立体表示すると共に、その操作目標に対する非接触操作を実現した入力装置が知られている（例えば、特許文献１参照。）。このような非接触操作を可能とした操作入力装置は、濡れ手による操作が必要なキッチンや洗面台、タッチ操作が敬遠されることもある多機能便器等への適用に好適である。
【０００３】
このような操作入力装置の検出手段としては、例えば、ＬＥＤ素子等の発光素子を含む発光部と、ＰＳＤ（Position Sensitive Detector：光位置センサ）等の受光素子を含む受光部と、が離れて配置された光学的な検出手段が知られている。この検出手段は、被検出対象からの反射光がＰＳＤに入射する位置を特定し、いわゆる三角測量の原理により被検出対象までの距離を計測して非接触操作の有無を検出する。このような検出手段を操作入力装置に組み込むに当たっては、非接触操作の検出領域に向かうように発光部・受光部の光軸を設定する必要がある。
【０００４】
しかしながら、前記従来の操作入力装置では、次のような問題がある。すなわち、受光部及び発光部を配置する際の制約により設計自由度が低下しており、コンパクト設計等のニーズに適切に対応することが難しくなっているという問題がある。
【先行技術文献】
【特許文献】
【０００５】
【特許文献１】特開平１０−２２３１０２号公報
【発明の概要】
【発明が解決しようとする課題】
【０００６】
本発明は、前記従来の問題点に鑑みてなされたものであり、非接触操作を光学的に検出する操作入力装置であって、受発光素子等の光学手段を配置する際の設計自由度を向上し、小型化を実現した操作入力装置を提供するための発明である。
【課題を解決するための手段】
【０００７】
本発明は、非接触操作を入力可能な操作面を備えた操作入力装置であって、
前記操作面の表側の空間に設けられ、指先等の人体を検知することで非接触操作を検出する検出領域と、
前記検出領域に光を投射するために前記操作面の裏側に配置された発光部と、
前記検出領域からの光を受光するために前記操作面の裏側に配置された受光部と、
前記発光部による光の投射に応じて前記受光部に入射する反射光を利用して非接触操作を検出する操作検出部と、
前記発光部が投射した光を前記操作面の表側の前記検出領域に向けて反射する第１の反射板と、
前記検出領域からの光を前記受光部に向けて反射する第２の反射板と、を備えた操作入力装置にある。
【発明の効果】
【０００８】
本発明の操作入力装置では、光を投射する前記発光部、及び光を受光する前記受光部が前記操作面の裏側に配置されている。前記発光部が投射する光は、前記第１の反射板によって前記検出領域に向けて反射される。前記検出領域からの光は、前記第２の反射板によって前記受光部に向けて反射される。
【０００９】
この操作入力装置では、前記操作面の外周側に前記発光部や前記受光部を配置する必要がなく、設計自由度が高くなっている。前記操作面の外周側ではなく、前記発光部や前記受光部を前記操作面の裏側に配置すれば、この操作面側の表面積を（占有面積）を抑制でき、前記操作入力装置の小型化を比較的容易に実現できる。
【００１０】
本発明の操作入力装置としては、前記検出領域を１カ所のみ有する装置であっても良く、前記検出領域を複数有する装置であっても良い。
前記発光部としては、ＬＥＤ素子、レーザー素子等を利用した様々なタイプを採用できる。前記受光部としては、ＰＳＤ、フォトトランジスタ、ＣＣＤ、ＣＭＯＳ、フォトダイオード、フォトダイオードアレイ等の受光素子を利用した様々なタイプを採用できる。
【００１１】
本発明の好適な一態様の操作入力装置では、前記第１の反射板と前記第２の反射板とが一体化され、一枚の反射板として構成されていても良い。また、前記第１又は第２の反射板は一枚のみであっても良いが、複数枚の反射板を組み合わせて構成することも良い。例えば、複数枚の反射板を組み合わせた第１の反射板であれば、前記発光部による光が複数回、反射を繰り返した後、前記検出領域に向けて投射される。
【００１２】
本発明の好適な一態様の操作入力装置においては、前記操作面側には、前記検出領域に対応する操作目標を立体的に表示する立体表示手段が設けられていることが好ましい。
この場合には、前記立体表示手段の構成部品に対して、前記発光部及び前記受光部の配置自由度を向上できる。前記立体表示手段を備えた操作入力装置について、コンパクト設計が容易になる。
【００１３】
本発明の好適な一態様の操作入力装置においては、前記立体表示手段は、左目に観察させる左像が所定方向に分割された分割左像と、右目に観察させる右像が所定方向に分割された分割右像と、が交互に配置された３Ｄ元画像に対して、前記分割左像を見込む左目の視線方向と、前記分割右像を見込む右目の視線方向と、を区分する視差シートが積層された立体表示シートを含み、
この立体表示シートには、前記第１の反射板により反射された前記発光部の光を前記操作面の表側に透過させると共に、前記検出領域からの光を前記操作面の裏側に透過させる透過窓が設けられていることが好ましい。
【００１４】
この場合には、前記立体表示シートの外周側に反射板を配置する必要がなくなる。前記第１及び第２の反射板を前記立体表示シートの裏面側に配置することにより、前記操作入力装置をコンパクトに構成できる。
【００１５】
本発明の好適な一態様の操作入力装置においては、前記発光部が投射した光のうち、前記操作面の表側を経由せずに前記受光部に直接、入射する光を遮断する遮光板を備えていることが良い。
この場合には、前記操作入力装置の内部で反射を繰り返し、前記発光部が投射した光が前記受光部に直接、入射するおそれを抑制できる。このような光学的経路の短絡（ショート）を回避して前記受光部に対するノイズ的な光の入射を抑制すれば、非接触操作の検出性能を一層向上できる。
【図面の簡単な説明】
【００１６】
【図１】実施例における、操作スイッチパネルを示す斜視図。
【図２】実施例における、操作スイッチパネルが取り付けられた洗面台を示す正面図。
【図３】実施例における、操作スイッチパネルの断面構造を示す断面図。
【図４】実施例における、操作スイッチパネルの組立て構造を示す説明図。
【図５】実施例における、立体表示シートの積層構造を示す説明図。
【図６】実施例における、操作スイッチパネルのシステム構成を示すブロック図。
【図７】実施例における、非接触操作を検出する様子を示す説明図。
【図８】実施例における、光学的経路の短絡（ショート）を防止する遮光板を取り付けた操作スイッチパネルの内部構造を示す斜視図。
【図９】実施例における、受発光ユニットのその他の配置構造を示す説明図。
【図１０】実施例における、受発光ユニットのその他の配置構造を示す説明図。
【発明を実施するための形態】
【００１７】
（実施例）
本例は、非接触操作を光学的に検出する操作スイッチパネル（操作入力装置）１に関する例である。この内容について、図１〜図１０を用いて説明する。
本例の操作スイッチパネル１は、図１及び図２のごとく、洗面台７の照明ランプ７１、鏡７２の曇り止めヒータ（図示略）をオンオフ操作するための操作入力装置である。この操作スイッチパネル１は、鏡７２の下縁に沿って設けられた庇状のカウンタ７３の前面に取り付けられる。
【００１８】
操作スイッチパネル１の凸凹のない平滑な操作面１０には、図１〜図３のごとく、２箇所の操作スイッチ１５が設けられている。操作スイッチ１５としては、左側の照明スイッチ１５Ａ、右側の曇り止めスイッチ１５Ｂがある。各操作スイッチ１５は、立体表示された操作マーク（操作目標）２００と、非接触操作を検出する検出領域３００（図３）と、を組み合せた非接触スイッチである。
【００１９】
操作マーク２００の浮かび上がり量は、検出領域３００の高さに略一致するように設定されている。この操作スイッチパネル１では、何れかの操作マーク２００を指先等で触れるように操作することで、対応する操作スイッチ１５を非接触で操作可能である。
操作面１０においては、各操作スイッチ１５の上側の隣り合う位置にスイッチ機能を平面的（非立体的）に表示する機能表示１５５が配置されている。さらに、各操作スイッチ１５の下側に当たる操作面１０の下部には、ＬＥＤ光を透過する半透明の帯状の窓１２が幅方向全域に渡って形成されている。
【００２０】
操作スイッチパネル１は、図３及び図４のごとく、底の浅い箱状の筐体１１を利用して形成されている。操作面１０側の表面には、操作マーク２００を立体的に表示するための立体表示シート（立体表示手段）２が貼り付けられている。筐体１１の内部には、制御基板３や、光学要素をなす反射板１４等が収容されている。帯状の窓１２を介して見込まれる位置には、操作面１０に対して傾けた状態で長細い矩形板状の反射板１４が配設されている。
【００２１】
立体表示シート２は、図４及び図５のごとく、裏面側から順番に、３Ｄ元画像２００Ｓがプリントされた３Ｄ画像シート２５、レンチキュラーレンズシート（視差シート）２３、及び透明シート２１が積層された３層構造を有している。立体表示シート２には、前記窓１２（図３及び図４参照。）を構成する透過窓２０が形成されている。
【００２２】
３Ｄ画像シート２５は、図１及び図５のごとく、操作マーク２００の元絵となる３Ｄ元画像２００Ｓが透明基材シートの表面に印刷されたシートである。３Ｄ画像シート２５では、左目に観察される左像を縦方向に分割した分割左像が印刷された短冊状の左像エリア２５１と、右目に観察される右像を縦方向に分割した分割右像が印刷された短冊状の右像エリア２５３と、が視差方向に当たる左右方向に交互に配置されている。３Ｄ元画像２００Ｓは、左像と右像との間に所定の視差が設けられた立体画像の元絵である。本例では、３Ｄ元画像２００Ｓとして、照明スイッチ１５Ａの操作マーク２００に対応する元絵と、曇り止めスイッチ１５Ｂの操作マーク２００に対応する元絵と、が設けられている。
【００２３】
各３Ｄ元画像２００Ｓの上側には、スイッチ機能を表示する機能表示１５５（図１参照。）が印刷されている。この機能表示１５５は、左像と右像との視差をゼロとし、立体表示効果が生じないように印刷されている。
また、３Ｄ元画像２００Ｓの下側には、何も印刷されていない帯状の透明領域２５０が幅方向全域に渡って形成されている。この透明領域２５０は、立体表示シート２の透過窓２０を構成している。
【００２４】
レンチキュラーレンズシート２３は、１組の左像エリア２５１及び右像エリア２５３を覆う畝状の凸部２３１を、左像エリア２５１・右像エリア２５３の組毎に複数設けた透明シートである。畝状の凸部２３１の１本１本は、３Ｄ画像シート２５の左像を観者の左目の網膜に結像させ、右像を右目の網膜に結像させるレンズ効果を生じる。
【００２５】
透明シート２１は、無色透明の平滑フィルムシートである。この透明シート２１は、裏面全面に渡って散点（ドット）状に塗布された透明接着剤によりレンチキュラーレンズシート２３に貼付される。この透明シート２１によれば、平滑な操作面１０を実現でき、操作スイッチパネル１の美観を向上できるほか、操作面１０への汚れの付着を抑制できると共にそのふき取り作業を容易にできる。
【００２６】
レンチキュラーレンズシート２３を介して３Ｄ画像シート２５を見込んだとき、観者の右目で右像が視認され、左目で左像が視認される。本例の３Ｄ画像シート２５では、操作マーク２００（図１参照。）の元絵である３Ｄ元画像２００Ｓについて、左像と右像の視差が設定されている。そのため、操作マーク２００は、操作面１０から立体的に浮かび上がって目視される。一方、左像と右像の視差がゼロである各機能表示１５５については、操作面１０から浮かび上がって見えることなく平面的に目視される。
【００２７】
制御基板３は、図６のごとく、ＬＥＤ素子を利用した発光部３１、ＰＳＤ（光位置センサ）を利用した受光部３３、発光部３１・受光部３３を制御する検出制御部３０１、操作を検出する操作検出部３０２、操作に応じてスイッチ動作（オンオフ動作）を実行する切換制御部３０３を有している。制御基板３の基板上には、検出制御部３０１、操作検出部３０２及び切換制御部３０３の機能を備える１チップマイコン３０のほか、発光部３１をなす発光ユニット３１０、受光部３３をなす受光ユニット３３０等が配置されている（図３、図４参照。）。
【００２８】
本例の制御基板３では、発光ユニット３１０及び受光ユニット３３０が２組配置されている。一方の組は、照明スイッチ１５Ａ（図１参照。）に対応しており、他方の組は、曇り止めスイッチ１５Ｂ（図１参照。）に対応している。制御基板３では、反射板１４を見込むように発光ユニット３１０及び受光ユニット３３０が配置されている。
【００２９】
検出制御部３０１は、受発光動作が同期して実行されるように発光ユニット３１０及び受光ユニット３３０を制御すると共に、受光ユニット３３０を構成するＰＳＤが出力するセンサ信号を取り込んで操作検出部３０２に入力する。
操作検出部３０２は、検出制御部３０１から取り込んだセンサ信号に基づいてＰＳＤに対する反射光の入射位置を特定し、三角測量の原理により被検出対象までの距離を計測する。操作検出部３０２は、検出領域３００（図３参照。）に対応する距離が計測されたときに操作有りと判断して操作検出信号を出力する。なお、操作検出信号としては、照明スイッチ１５Ａに対応する信号と、曇り止めスイッチ１５Ｂに対応する信号と、がある。
【００３０】
切換制御部３０３は、操作検出部３０２から操作検出信号を取り込んだとき、所定のスイッチ動作を実行する。照明スイッチ１５Ａに対応する操作検出信号を取り込んだときには、照明ランプ７１のオンオフを切り換える。曇り止めスイッチ１５Ｂに対応する操作検出信号を取り込んだときには、曇り止めヒータ（図示略）のオンオフを切り換える。
【００３１】
以上のように構成された操作スイッチパネル１は、図７のごとく、発光ユニット３１０による光の投射に応じた（被検出対象からの）反射光がＰＳＤ（受光ユニット３３０）に入射する位置を特定し、いわゆる三角測量の原理により被検出対象までの距離を計測する。そして、計測距離に応じて非接触操作の有無を検出し、検出に応じて対応する操作スイッチ１５のオンオフを切り換える。この操作スイッチパネル１によれば、立体表示された操作マーク２００に対する非接触操作により照明ランプ７１等のオンオフ操作を実行可能である。
【００３２】
特に、本例の操作スイッチパネル１では、図７に示すごとく、発光ユニット３１０による投射光の経路のうち、反射板１４に対する入射光と反射光とのなす角θ１、及び受光ユニット３３０に対する入射光の経路のうち、反射板１４に対する入射光と反射光とのなす角θ２が、いずれも９０度未満の狭角に設定されている。また、図３のごとく、窓１２を通過する投射光及び反射光の経路方向と、操作面１０と、のなす角θｓ（３Ｄ元画像２００Ｓが配置された側の角度）についても、９０度未満の狭角に設定されている。
【００３３】
本例の操作スイッチパネル１では、上記のような設定により、光軸が操作面１０と略平行をなす発光ユニット３１０及び受光ユニット３３０について、３Ｄ元画像２００Ｓの裏側への配置が可能になっている（図３参照。）。発光ユニット３１０による投射光は、反射板１４で反射された後、操作面１０の下部に設けられた窓１２を透過し、３Ｄ元画像２００Ｓを回り込むようにして検出領域３００に投射される。同様に、検出領域３００からの光は、窓１２を透過し、反射板１４により反射されることにより、３Ｄ元画像２００Ｓの裏側に回り込むようにして受光ユニット３３０に入射する。
【００３４】
この操作スイッチパネル１では、操作面１０の外周側に発光ユニット３１０や受光ユニット３３０を配置する必要がなく、これらのユニットを配置する際の設計自由度が高くなっている。発光ユニット３１０や受光ユニット３３０を操作面１０の裏側に配置できれば、操作面１０側の表面積を抑制して操作スイッチパネル１の小型化を実現可能である。また、本例のごとく、高さや幅方向の寸法に比べて光軸方向の奥行き寸法が長い発光ユニット３１０あるいは受光ユニット３３０を採用する場合には、操作面１０に沿って発光ユニット３１０・受光ユニット３３０を配置することで厚さ方向の寸法を低減できるという顕著な効果が生じる。光軸方向の寸法を抑制した特別仕様の発光ユニット等を採用する場合と比べて、安価な部品を活用でき製品コストを低減できる。
【００３５】
さらに、本例の操作スイッチパネル１では、発光ユニット３１０及び受光ユニット３３０が制御基板３の表面に取り付けられている。制御基板３とは別に、発光ユニット３１０や受光ユニット３３０を取り付ける場合と比べて、これらのユニットの組み付け位置精度の確保が容易である。また、操作スイッチパネル１の組み立て作業における組み付け部品点数を削減でき、組み立て作業に要するコストの抑制により生産コストを低減できる。さらに、制御基板３に対して発光ユニット３１０等を取り付ける場合であれば、表示実装可能なチップ部品の発光ユニット３１０あるいは受光ユニット３３０を採用できる。チップ部品は、パッケージに収容した場合と比べて格段に小型になるため、寸法の小型化に有効である。
【００３６】
なお、図８のごとく、発光ユニット３１０と受光ユニット３３０との間の光学的経路の短絡を防止するための遮光板１４５を設けることも良い。このような遮光板１４５を設ければ、発光ユニット３１０の投射光のうち、操作スイッチパネル１の内部で反射を繰り返して直接、受光ユニット３３０に入射する光量を効果的に抑制できる。受光ユニット３３０に入射するノイズ的な光を抑制すれば、非接触操作の検出性能を向上して操作性を向上できる。
なお、本例では、発光ユニット３１０による光の投射経路を構成する第１の反射板と、受光ユニット３３０に対する光の入射経路を構成する第２の反射板と、が一体となった反射板１４を採用した例である。これに代えて、第１及び第２の反射板を個別に設けることも良い。
【００３７】
なお、本例では、各装置スイッチ１５に対応して発光ユニット３１０及び受光ユニット３３０を１個ずつ配置した例である。これに代えて、図９のごとく、１個の発光ユニット３１０に対して受光ユニット３３０を２個配置することも良い。この場合には、所定方向から入射する外乱光による影響を抑制でき、受光ユニット３３０による距離計測精度を向上して操作検出の精度を向上できる。なお、図９では、理解を容易にするため、反射板１４により反射されて反転する光路を直線的に図示してある。次に参照する図１０についても同様である。
【００３８】
さらに、図１０のごとく、各操作スイッチ１５に対応して発光ユニット３１０及び受光ユニット３３０を２個ずつ配置することも良い。この場合には、その配置方向において、検出領域３００を幅方向に拡大して操作性を向上できる。さらに、この場合には、２個の発光ユニット３１０を挟み込むように両側に受光ユニット３３０を配置することも良い。このような配置によれば、検出感度が十分でない不感帯が検出領域３００の中央に生じるおそれを抑制できる。さらに、各発光ユニット３１０による光の投射に応じた反射光を２個の受光ユニット３３０で受光するように制御することも良い。このように制御すれば、図９の構成と同様の作用効果が得られる。
【００３９】
なお、本例は、洗面台の操作スイッチパネル１に関する例であるが、操作対象としては、シャワー機能付きの便器や、給湯装置や、空調設備や、給水装置や、キッチン水栓や、キッチンコンロ等であっても良い。給湯装置が操作対象の場合、本例の操作スイッチパネル１と似通った操作パネルを浴室等の壁面に設定することも良い。さらに、本例の操作入力装置を対象機器に組み込むことも可能である。
【００４０】
なお、本例は、レンチキュラーレンズシート２３を利用した立体表示手段を採用した例である。立体表示の方法としては、本例のレンチキュラー方式に代えて、スリットや液晶等を利用して左右の目に異なる像を結像させて立体表示を実現するパララックスバリア（視差バリア）方式や、ホログラムによる立体表示を可能とするホログラフィー方式や、マイクロレンズアレイ等、他の立体表示方法を採用することもできる。
【００４１】
なお、本例では、ＬＥＤ素子とＰＳＤとの組合せにより非接触操作を光学的に検出している。ＰＳＤに代えて受光の有無を検知する受光ユニットを採用することもできる。この構成によれば、反射光の有無によって検出領域に差し入れられた指先等を検知可能である。さらに、ＰＳＤに代えて受光量を計測可能な受光ユニットを適用することもできる。この構成によれば、投射光に対する反射光の減衰割合に応じて距離を計測でき、非接触操作を検出できる。
【００４２】
なお、本例のように指先で操作する操作スイッチパネルの場合、図３のごとく、操作する指の付け根側に当たると想定される側に反射板１４を配置することが好ましい。同図のごとく、発光ユニット３１０の投射光が指先ではなく指の腹（指紋の部分）で反射されるようになり、受光ユニット３３０に入射する反射光の光量が多くなる。操作スイッチパネルの上側及び下側に反射板を配置することも良い。下側から手を差しのべて操作される場合には、操作面１０の下側に配置された反射板を経由する光学的経路が有効に作用し、上側から操作される場合には上側に配置された反射板が有効となる。
【００４３】
本例では、操作スイッチとしてオンオフスイッチを例示している。操作スイッチとしては、操作面に沿って指先を横に移動させるスライド操作や、操作面に沿って指先で円弧を描くように移動させるダイアル操作を入力するスイッチであっても良い。さらには、操作面の法線方向に沿って指先を近づけたり遠ざけたりする３次元的な操作を入力するスイッチであっても良い。
また、本例では、操作スイッチパネル１として、平面的な操作面１０を備えた装置を例示している。操作面は、平面に限定されず、曲面であっても良い。
【００４４】
以上、実施例のごとく本発明の具体例を詳細に説明したが、これらの具体例は、特許請求の範囲に包含される技術の一例を開示しているにすぎない。言うまでもなく、具体例の構成や数値等によって、特許請求の範囲が限定的に解釈されるべきではない。特許請求の範囲は、公知技術や当業者の知識等を利用して前記具体例を多様に変形あるいは変更した技術を包含している。
【符号の説明】
【００４５】
１…操作スイッチパネル（操作入力装置）、１０…操作面、１２…窓、１４…反射板、１４５…遮光板、１５…操作スイッチ、１５５…機能表示、２…立体表示シート（立体表示手段）、２０…透過窓、２００…操作マーク（操作目標）、２００Ｓ…３Ｄ元画像、２１…透明シート、２３…レンチキュラーレンズシート、２５…３Ｄ画像シート、３…制御基盤、３０…１チップマイコン、３００…検出領域、３０２…操作検出部、３１…発光部、３１０…発光ユニット、３３…受光部、３３０…受光ユニット、７…洗面台、７１…照明ランプ、７２…鏡
【図１】
2013004476.tif 000003
【図２】
2013004476.tif 000004
【図３】
2013004476.tif 000005
【図４】
2013004476.tif 000006
【図５】
2013004476.tif 000007
【図６】
2013004476.tif 000008
【図７】
2013004476.tif 000009
【図８】
2013004476.tif 000010
【図９】
2013004476.tif 000011
【図１０】
2013004476.tif 000012